(57)【要約】【課題】  液晶表示装置において、熱伝導性部材などの余分な部品を用いることなく、ＩＣチップの周囲に熱がこもってＩＣチップの初期性能が低下するという現象を回避する。【解決手段】  液晶パネル１０と、配線基板２０と、フレキシブル基板３０と、縁枠フレーム４０とを備える。フレキシブル基板３０では、一端側電極３１及び他端部電極３５の形成面とＩＣチップ５０の実装面とが反対側の面になっている。フレキシブル基板３０を配線基板２０と液晶パネル１０とに接続して、ＩＣチップ５０を縁枠フレーム４０側に配備する。縁枠フレーム４０にＩＣチップ５０を臨ませることにより、熱がこもることを防ぐる熱逃がし用の開口４２を開設する。【選択図】        図３
2009265206.tif 000002
【特許請求の範囲】
【請求項１】
液晶パネルと、この液晶パネルの辺部に沿って配備された配線基板と、一端部に上記配線基板の電極に重ね合わせて接続された一端側電極を有しかつその反対側の他端部に上記液晶パネルの上記辺部の電極に重ね合わせて接続された他端側電極を有して、発熱源となるＩＣチップを搭載しているフレキシブル基板と、上記液晶パネルの周囲に嵌め込まれて上記配線基板及び上記フレキシブル基板を覆う縁枠フレームと、を備え、
上記ＩＣチップが上記フレキシブル基板の上記縁枠フレームとの対向面に実装されて、その縁枠フレームに上記ＩＣチップを臨ませる熱逃がし用の開口が開設されていることを特徴とする液晶表示装置。
【請求項２】
上記配線基板の電極がその配線基板における上記縁枠フレームとの対向部位に設けられ、上記液晶パネルの電極がその液晶パネルにおける上記縁枠フレームとの対向部位に設けられていると共に、上記フレキシブル基板は、ＩＣチップが実装されている面の反対側の面に上記一端側電極と上記他端側電極とを有する請求項１に記載した液晶表示装置。
【請求項３】
複数枚の上記フレキシブル基板が、上記液晶パネルと上記配線基板との間に亘って横並び状態で配備されていて、上記縁枠フレームには、それぞれの上記フレキシブル基板に搭載されている上記ＩＣチップごとに独立して上記開口が開設されている請求項１又は請求項２に記載した液晶表示装置。
【発明の詳細な説明】
【技術分野】
【０００１】
本発明は、液晶表示装置、特に、発熱源となるＩＣチップを搭載しているフレキシブル基板（たとえばＣＯＦテープ）が、液晶パネルとこの液晶パネルの辺部に沿って配備された配線基板との間に亘って配備されていて、液晶パネルの周囲に嵌め込まれた縁枠フレームが上記配線基板及び上記フレキシブル基板を覆っている、という構成を備える液晶表示装置に関する。
【背景技術】
【０００２】
液晶表示装置において、液晶パネルの周縁部にドライバＩＣを実装したＴＣＰを装着することが公知である（たとえば、特許文献１参照）。この特許文献１によると、ドライバＩＣは、液晶パネルを駆動するための集積回路を形成している。そして、ＴＣＰは、液晶パネルとその液晶パネルの辺部に沿って設けられているプリント回路基板とに亘って配備されていて、ＴＣＰの電極が、液晶パネル側の電極やプリント回路基板側の電極に重ね合わせて接続されている。さらに、液晶パネル側の電極やプリント回路基板側の電極は、液晶パネルの周囲に嵌め込まれているベゼルとの対向部位に設けられている。
【０００３】
また、有機ＥＬパネルを採用した表示装置において、駆動用ＩＣを実装した可撓配線板の電極を有機ＥＬパネル側の電極に重ね合わせて接続することも行われている（たとえば、特許文献２参照）。
【０００４】
特許文献１によって提案されている液晶表示装置では、ドライバＩＣの発熱を抑制する手段として、プリント回路基板又はドライバＩＣとベゼルとの相互間隙間に熱伝導性部材を介在させ、その熱伝導性部材によってトライバＩＣの発熱をベゼルに伝達して放熱するという対策が講じられている。これに対し、特許文献２によって提案されている表示装置では、可撓配線板における駆動用ＩＣの搭載箇所に放熱テープを貼り付けておき、駆動用ＩＣの発熱を放熱テープから大気中に放出するという対策が講じられている。
【０００５】
そのほか、壁掛け型の平面型表示装置の分野では、放熱効率を高めるための対策として、駆動回路基板とその背部の筐体後ろカバーとの間に熱伝導部材を介在させておくことにより、駆動回路基板の発熱を熱伝導部材によって筐体後ろカバーに伝達させ、その筐体後ろカバーと壁との隙間を流通する空気によって放熱を促すことが知られている（たとえば、特許文献３参照）。
【特許文献１】特開２００７−２２６０６８号公報（図２、図３）
【特許文献２】特開２００６−６４９３９号公報（図１〜図４）
【特許文献３】特開２００１−３３７６１２号公報（図２）  一方、テレビジョン受像機としての液晶表示装置の従来例では、図６の概略的な部分断面図によって判るように、液晶パネル１０とその液晶パネル１０の辺部に沿って配備された配線基板２０とをＣＯＦテープ（チップオンフィルムテープ）と呼ばれるフレキシブル基板３０によって電気的に接続してあると共に、液晶パネル１０の周囲に嵌め込まれた板金製の縁枠フレーム（ベゼル）４０によって上記した配線基板２０及びフレキシブル基板３０を覆わせたものがある。この構造を採用した液晶表示装置において、フレキシブル基板３０にはＩＣチップ５０が実装されている。
【０００６】
また、図７に概略斜視図で示したように、ＩＣチップ５０が実装されている上記フレキシブル基板３０では、当該フレキシブル基板３０の製作技術上の観点などを勘案して、ＩＣチップ５０が実装されている面と同一の面の一端部と他端部とのそれぞれに一端側電極３１と他端側電極３５とがパターン形成されている。これに対し、図６によって判るように、フレキシブル基板３０の一端側電極３１の相手方電極である配線基板２０の電極２１は、その配線基板２０における縁枠フレーム４０との対向部位に形成されている。同様に、フレキシブル基板３０の他端側電極３５の相手方電極である液晶パネル１０の電極１１も、その液晶パネル１０における縁枠フレーム４０との対向部位に形成されている。そして、配線基板２０や液晶パネル１０のそれぞれの電極２１，１１には、フレキシブル基板３０の一端側電極３１や他端側電極３５が重ね合わせて接続されている。
【０００７】
以上のように、フレキシブル基板３０の一端側電極３１が配線基板２０の電極２１に重ね合わせて接続され、フレキシブル基板３０の他端側電極３５が液晶パネル１０の電極１１に重ね合わせて接続されていると、図６のように、フレキシブル基板３０に実装されているＩＣチップ５０が、液晶パネル１０の辺部の端面と配線基板２０とフレキシブル基板３０とによって囲まれる空間Ｓ１に配備される。また、その空間は、上記した縁枠フレーム４０によって覆われていることになる。
【発明の開示】
【発明が解決しようとする課題】
【０００８】
しかしながら、図６を参照して説明したように、ＩＣチップ５０が、縁枠フレーム４０によって覆われている上記空間Ｓ１に配備されていると、ＩＣチップ５０から出る熱がその空間Ｓ１やフレキシブル基板３０とベゼル４０との間の隙間空間Ｓ２にこもりやすくなり、それらの空間Ｓ１や隙間空間Ｓ２にこもった熱がＩＣチップ５０の温度上昇を抑制することの妨げになって、ＩＣチップ５０に誤動作などの不都合を生じる原因になることがある。このような問題は、液晶パネルの大形化や高精細化、倍速駆動化、高電圧化などによってＩＣチップ５０が単位時間当りに充放電する電荷量が著しく増大するのに伴って顕著に起こる傾向がある。
【０００９】
この点に関し、上掲の特許文献１や特許文献２によって提案されているように、熱伝導性部材や放熱テープを余分に用いて放熱を促すという対策を講じると、部品点数の増加に伴う組立工数の増加や組立作業性の低下といった新たな問題が生じる。また、特許文献３によって提案されているように、筐体後ろカバーと壁との隙間を流通する空気によって放熱を促すという対策を講じるだけでは、筐体内部空間の全体的な温度上昇を抑制することには役立つけれども、配線基板に実装されているＩＣチップの直接的な温度上昇を抑制するという作用をそれほど期待することはできない。
【００１０】
本発明は以上の問題や状況に鑑みてなされたものであり、熱伝導性部材や放熱テープといった余分な部品を用いることなく、ＩＣチップが実装されているフレキシブル基板や縁枠フレームの構成を変更するだけで、図６に示した空間Ｓに熱がこもるという現象を回避することを可能にすることにより、ＩＣチップなどの温度上昇を抑制してその初期性能の低下を未然に防止することのできる液晶表示装置を提供することを目的とする。
【課題を解決するための手段】
【００１１】
本発明に係る液晶表示装置は、液晶パネルと、この液晶パネルの辺部に沿って配備された配線基板と、一端部に上記配線基板の電極に重ね合わせて接続された一端側電極を有しかつその反対側の他端部に上記液晶パネルの上記辺部の電極に重ね合わせて接続された他端側電極を有して、発熱源となるＩＣチップを搭載しているフレキシブル基板と、上記液晶パネルの周囲に嵌め込まれて上記配線基板及び上記フレキシブル基板を覆う縁枠フレームと、を備えている。そして、上記ＩＣチップが上記フレキシブル基板の上記縁枠フレームとの対向面に実装されて、その縁枠フレームに上記ＩＣチップを臨ませる熱逃がし用の開口が開設されている。
【００１２】
この構成を採用した液晶表示装置によると、その縁枠フレームの内側の空間（図６に示した隙間空間Ｓ２）の熱が、縁枠フレームの熱逃がし用の開口を経て縁枠フレームの外側に逃がされる。そして、縁枠フレームの開口には発熱源となるＩＣチップが臨んでいるので、ＩＣチップから出た熱がＩＣチップの周囲にこもるという事態が起こりにくくなる。また、液晶パネルの辺部の端面と配線基板とフレキシブル基板とによって囲まれる空間（図６に示した空間Ｓ１）には、発熱源となるＩＣチップが存在していないために、この空間にはもともと熱がこもりにくい。したがって、本発明に係る液晶表示装置では、余分な部品を用いることなく、ＩＣチップの周囲に熱がこもるという現象が回避されるようになり、ＩＣチップなどの温度上昇が抑制されてその初期性能の低下が未然に防止される。
【００１３】
本発明では、上記配線基板の電極がその配線基板における上記縁枠フレームとの対向部位に設けられ、上記液晶パネルの電極がその液晶パネルにおける上記縁枠フレームとの対向部位に設けられていると共に、上記フレキシブル基板は、ＩＣチップが実装されている面の反対側の面に上記一端側電極と上記他端側電極とを有していることが望ましい。この構成を採用すると、図６を参照して説明した液晶パネル１０の電極１１の形成部位や配線基板２０の電極２１の形成部位を変更することなく、また、フレキシブル基板の一端側電極や他端側電極の形成箇所を折り返したりすることなく、ＩＣチップを縁枠フレームの開口に臨ませることが容易に可能になる。したがって、従来例の組立方法をそのまま採用して、ＩＣチップの周囲に熱がこもるという現象を回避することが可能である。
【００１４】
本発明では、複数枚の上記フレキシブル基板が、上記液晶パネルと上記回路基板との間に亘って横並び状態で配備されていて、上記縁枠フレームには、それぞれの上記フレキシブル基板に搭載されている上記ＩＣチップごとに独立して上記開口が開設されていることが望ましい。この構成であると、縁枠フレームに細長い１つの開口を形成してその開口を複数枚のフレキシブル基板に実装されているＩＣチップに臨ませるという構成を採用する場合に比べて、開口を形成することに伴う縁枠フレームの強度低下が抑制される。そのため、縁枠フレームによる液晶パネルの保形性の低下を抑制することができるという利点がある。
【発明の効果】
【００１５】
以上のように、本発明によると、熱伝導性部材や放熱テープといった余分な部品を用いることなく、ＩＣチップの周囲に熱がこもってＩＣチップの初期性能が低下するという現象を回避することが可能になる。そのため、組立性の低下を来したりコストアップを招いたりすることなく、液晶パネルの大形化や高精細化に容易に対処することが可能になるという効果が奏される。
【発明を実施するための最良の形態】
【００１６】
図１は本発明の実施形態に係る液晶表示装置の要部の部分正面図、図２はベゼルとしての縁枠フレームの正面図、図３は要部の概略的な部分断面図、図４はＣＯＦテープとしてのフレキシブル基板の概略斜視図、図５はフレキシブル基板の構成を断面で示した説明図である。
【００１７】
この実施形態は、テレビジョン受像機としての液晶表示装置に係るものである。図１又は図３によって類推することができるように、液晶パネル１０の辺部１２、具体的には液晶パネル１０の上側の横長の辺部１２の前面に電極１１が形成されている。また、液晶パネル１０の上記辺部１２に沿って細長い配線基板２０が水平姿勢で配備されていて、その配線基板２０の上面に電極２１が形成されている。液晶パネル１０や配線基板２０は、図示していないシャーシなどによって定位置に固定されている。
【００１８】
図４のように、ＩＣチップ５０が実装されているフレキシブル基板３０は、一端部と他端部とにそれぞれ一端側電極３１と他端側電極３５とを有しているけれども、このフレキシブル基板３０は、ＩＣチップ５０が実装されている面と上記の一端側電極３１及び他端側電極３５がパターン形成されている面とが反対側の面になっているという点で、それらの面が同一の面になっている図７のフレキシブル基板３０と相違している。図１又は図３のように、フレキシブル基板３０は、その一端側電極３１が、その形成箇所を折り返すことなく、配線基板２０の上面の電極２１に重ね合わせて接続され、その他端側電極３５が、その形成箇所を折り返すことなく、液晶パネル１０の前面の電極１１に重ね合わせて接続されている。
【００１９】
図２又は図３のように、液晶パネル１０の周囲には、矩形枠形の縁枠フレーム４０が嵌め込まれていて、その縁枠フレーム４０によって、上記した配線基板２０やフレキシブル基板３０が覆われている。このため、図３のようにフレキシブル基板３０と縁枠フレーム４０との間に形成されている隙間空間Ｓ２に、フレキシブル基板３０に実装されているＩＣチップ５０が配備される。その結果、液晶パネル１０の辺部１２の端面と配線基板２０とフレキシブル基板３０とによって囲まれる空間Ｓ１にはＩＣチップ５０が存在しない。
【００２０】
図１のように、フレキシブル基板３０は、その複数枚が液晶パネル１０と配線基板２０との間に亘って横並び状態で配備されている。そして、図２のように、縁枠フレーム４０の上辺部４１の複数箇所に、それぞれのフレキシブル基板３０に実装されているＩＣチップ５０を臨ませる独立した熱逃がし用の開口４２が開設されていて、それらの開口４２のそれぞれに１つずつのＩＣチップ５０が臨んでいる。ＩＣチップ５０の数や開口４２の数は、たとえば液晶パネル１０が３２インチ又は３７インチである場合に１０個あればよい。
【００２１】
液晶表示装置が以上の構成を有していると、縁枠フレーム４０の内側の隙間空間Ｓ２の熱が、縁枠フレーム４０の内側や外側を流通する空気によって、縁枠フレーム４０の熱逃がし用の開口４２を経て縁枠フレーム４０の外側に逃がされる。そのため、隙間空間Ｓ２に配備されているＩＣチップ５０が発熱源になっているとしても、ＩＣチップ５０から出た熱がそのＩＣチップ５０の周囲にこもるという事態は起こりにくくなる。また、液晶パネル１０の辺部１２の端面と配線基板２０とフレキシブル基板３０とによって囲まれる空間Ｓ１には、発熱源となるＩＣチップが存在していないために、この空間Ｓ１にはもともと熱がこもりにくい。したがって、上記構成を備える液晶表示装置では、ＩＣチップ５０の周囲に熱がこもるという現象が回避され、ＩＣチップ５０やその他の実装部品の温度上昇が抑制されてそれらの初期性能の低下が未然に防止される。
【００２２】
また、ＩＣチップ５０の周囲に熱がこもるという現象を回避するための手段として、縁枠フレーム４０に開口４２を開設し、その開口４２にＩＣチップ５０を臨ませるという構成を採用しているので、新たに余分な部品を追加する必要はない。
【００２３】
この実施形態では、フレキシブル基板３０の片面にＩＣチップ５０を実装し、その反対側の他面に一端側電極３１や他端側電極３５を形成している。このため、配線基板２０の電極２１がその配線基板２０における縁枠フレーム４０との対向部位である上面に設けられ、かつ、液晶パネル１０の電極１１がその液晶パネル１０における縁枠フレーム４０との対向部位である前面に設けられているとしても、それらの電極２１，１１の形成箇所を変更することなく、また、フレキシブル基板３０の一端側電極３１や他端側電極３５の形成箇所を折り返したりすることなく、ＩＣチップ５０を上記隙間空間Ｓ２に配備して縁枠フレーム４０の開口４２に臨ませることが容易に可能である。したがって、従来例の組立方法をそのまま採用して、ＩＣチップ５０の周囲に熱がこもるという現象を回避することができる。
【００２４】
ところで、縁枠フレーム４０は、液晶パネル１０の周囲に嵌め込まれてその液晶パネル１０の平面形状を保形する役割を持っている。そのため、縁枠フレーム４０には、液晶パネル１０の平面形状を保形し得るだけの強度を持つことが要求される。この点に関し、この実施形態では、縁枠フレーム４０に、それぞれのフレキシブル基板３０に実装されているＩＣチップ５０ごとに独立して開口４２が開設されているので、開口４２を形成することに伴う縁枠フレーム４０の強度低下が抑制されている。その結果、縁枠フレーム４０による液晶パネル１０の保形性は十分に確保されている。
【００２５】
上記したように、この実施形態では、フレキシブル基板３０の片面にＩＣチップ５０を実装し、その反対側の他面に一端側電極３１や他端側電極３５を形成している。このようなフレシキブル基板３０の構成の一例を図５に説明的に示してある。同図のフレキシブル基板３０は、ベース３６の片面にＩＣチップ５０が面実装されていて、そのＩＣチップ５０の電極５１，５２が、ベースフィルム３６の他面にパターン形成されている一端側電極３１及び他端側電極３５に、スルーホールによって形成される電路３７，３８によって電気的に接続されている。そして、ベースフィルム３６の片面及び他面に形成した絶縁マスク層３９によって電路パターンやＩＣチップ５０の電極５１，５２などを被覆してある。
【図面の簡単な説明】
【００２６】
【図１】本発明の実施形態に係る液晶表示装置の要部の部分正面図である。
【図２】液晶パネルの周囲に嵌め込まれた縁枠フレームの正面図である。
【図３】要部の概略的な部分断面図である。
【図４】フレキシブル基板の概略斜視図である。
【図５】フレキシブル基板の構成を断面で示した説明図である。
【図６】液晶表示装置の従来例を示した概略部分断面図である。
【図７】従来例に採用されていたフレキシブル基板の概略斜視図である。
【符号の説明】
【００２７】
１０  液晶パネル
１１  液晶パネルの電極
１２  液晶パネルの辺部
２０  配線基板
２１  配線基板の電極
３０  フレキシブル基板
３１  一端側電極
３５  他端側電極
４０  縁枠フレーム
４２  開口
５０  ＩＣチップ
【図１】
2009265206.tif 000003
【図２】
2009265206.tif 000004
【図３】
2009265206.tif 000005
【図４】
2009265206.tif 000006
【図５】
2009265206.tif 000007
【図６】
2009265206.tif 000008
【図７】
2009265206.tif 000009